(57)【要約】    【課題】      ユーザーが探しやすい情報に基づいて画像データを表示することにより、ユーザーが見たい画像を探すのを容易にするとともに、ユーザーが見たい画像を探し出すまでに要する時間を短縮すること。    【解決手段】  画像保存部１０５は、撮影日時と撮影モードとを付与した画像データを記憶する。撮影日抽出部１０６は、撮影日時の情報を抽出する。撮影モード抽出部１０７は、撮影モードの情報を抽出する。画像レイアウト部１０８は、撮影日時と撮影モードとにより特定される画像データ毎に平面上に並べて表示される画像レイアウトを決定する。表示部１０９は、画像レイアウトされた画像データを画像レイアウトに従って表示する。  【選択図】      図１
2005341058.tif 000002
【特許請求の範囲】
【請求項１】
画像データと前記画像データの撮影時の撮影モードとを関係付けた画像情報の前記画像データを前記撮影モードに基づいて配列する画像レイアウト手段と、
前記画像レイアウト手段にて配列された前記画像データを表示する表示手段と、
を具備することを特徴とする画像表示装置。
【請求項２】
前記画像レイアウト手段は、撮影日毎及び前記撮影モード毎に前記画像データを配列し、
前記表示手段は、前記レイアウト手段にて前記撮影日毎及び前記撮影モード毎に配列された前記画像データを表示することを特徴とする請求項１記載の画像表示装置。
【請求項３】
前記表示手段は、前記撮影日と前記撮影モードとにより特定される前記画像データ毎に平面上に並べて表示することを特徴とする請求項２記載の画像表示装置。
【請求項４】
前記表示手段にて現在表示されている前記画像データに関係付けられている前記撮影モードと異なる前記撮影モードに関係付けられている前記画像データに切り替えて表示するための切替手段を具備し、
前記表示手段は、前記切替手段の切り替え操作により、現在表示している前記画像データに関係付けられている前記撮影モードと異なる前記撮影モードに関係付けられている前記画像データに切り替えて表示することを特徴とする請求項１から請求項３のいずれかに記載の画像表示装置。
【請求項５】
被写体を撮影する撮影手段と、
前記撮影手段にて前記被写体を撮影する際の撮影モードを設定する撮影モード設定手段と、
前記撮影手段にて撮影された前記被写体の画像データと前記撮影モード設定手段にて設定された前記撮影モードとを関係付けた画像情報の前記画像データを前記撮影モードに基づいて配列する画像レイアウト手段と、
前記画像レイアウト手段にて配列された前記画像データの前記画像を表示する表示手段と、
を具備することを特徴とするカメラ装置。
【請求項６】
前記画像レイアウト手段は、撮影日毎及び前記撮影モード毎に前記画像データを配列し、
前記表示手段は、前記レイアウト手段にて前記撮影日毎及び前記撮影モード毎に配列された前記画像データを表示することを特徴とする請求項５記載のカメラ装置。
【請求項７】
前記表示手段は、前記撮影日と前記撮影モードとにより特定される前記画像データ毎に平面上に並べて表示することを特徴とする請求項６記載のカメラ装置。
【請求項８】
前記表示手段にて現在表示されている前記画像データに関係付けられている前記撮影モードと異なる前記撮影モードに関係付けられている前記画像データに切り替えて表示するための切替手段を具備し、
前記表示手段は、前記切替手段の切り替え操作により、現在表示している前記画像データに関係付けられている前記撮影モードと異なる前記撮影モードに関係付けられている前記画像データに切り替えて表示することを特徴とする請求項５から請求項７のいずれかに記載のカメラ装置。
【請求項９】
請求項５から請求項８のいずれかに記載のカメラ装置を具備することを特徴とする通信装置。
【請求項１０】
画像データと前記画像データの撮影時の撮影モードとを関係付けた画像情報の前記画像データを前記撮影モードに基づいて配列するステップと、
配列された前記画像データを表示するステップと、
を具備することを特徴とする画像表示方法。
【請求項１１】
撮影日毎及び前記撮影モード毎に前記画像データを配列し、
前記撮影日毎及び前記撮影モード毎に配列された前記画像データを表示することを特徴とする請求項１０記載の画像表示方法。
【請求項１２】
前記撮影日と前記撮影モードとにより特定される前記画像データ毎に平面上に並べて表示することを特徴とする請求項１１記載の画像表示方法。
【請求項１３】
現在表示されている前記画像データに関係付けられている前記撮影モードと異なる前記撮影モードに関係付けられている前記画像データに切り替えて表示するステップを具備し、
切り替え操作により、現在表示している前記画像データに関係付けられている前記撮影モードと異なる前記撮影モードに関係付けられている前記画像データに切り替えて表示することを特徴とする請求項１０から請求項１２のいずれかに記載の画像表示方法。
【発明の詳細な説明】
【技術分野】
【０００１】
本発明は画像表示装置、カメラ装置、通信装置及び画像表示方法に関し、例えばデジタルカメラや携帯電話で撮影した画像を表示する画像表示装置及びカメラ装置に関する。
【背景技術】
【０００２】
従来、デジタルカメラ等で記録した複数の画像の中から見たい画像を短時間で検索し、表示可能な画像表示装置が知られている（例えば、特許文献１）。この画像表示装置によれば、デジタルカメラによって画像を記録する際には、撮影した日時を画像データに付加して記録しておく。画像検索時には、各コマが１つ前のコマからどのくらいの時間間隔をおいて撮影されたかを求め、撮影間隔が相対的に長いものを所定数抽出し、第１コマ目の画像と、これら抽出した画像のサムネイル画像を記録順に配列して液晶モニタに同時表示する。このとき、画像とともに撮影日の情報も表示する。こうして、撮影間隔の長さに基づいて区分けされた画像ブロックの先頭画像が一度に表示された状態で更に、何れかの画像ブロックを選択し、同様のブロック分けの処理を繰り返すことにより、見たい画像を探し出す。
【特許文献１】特開２００３−２９９０２８号公報
【発明の開示】
【発明が解決しようとする課題】
【０００３】
しかしながら、従来の画像表示装置、カメラ装置、通信装置及び画像表示方法においては、撮影した日時に基づいて画像データを表示するので、短い撮影間隔で異なる被写体を撮影した場合にもまとめて１枚の画像で代表されてしまうため、ユーザーが見たい画像を探すことが困難であるという問題がある。さらに、ユーザーが見たい画像を探し出すまでに時間を要するという問題がある。
【０００４】
本発明はかかる点に鑑みてなされたものであり、ユーザーが探しやすい情報に基づいて画像データを表示することにより、ユーザーが見たい画像を探すのを容易にすることができるとともに、ユーザーが見たい画像を探し出すまでに要する時間を短縮することができる画像表示装置、カメラ装置、通信装置及び画像表示方法を提供することを目的とする。
【課題を解決するための手段】
【０００５】
本発明の画像表示装置は、画像データと前記画像データの撮影時の撮影モードとを関係付けた画像情報の前記画像データを前記撮影モードに基づいて配列する画像レイアウト手段と、前記画像レイアウト手段にて配列された前記画像データを表示する表示手段と、を具備する構成を採る。
【０００６】
この構成によれば、撮影時の撮影モードに基づいて画像データを配列して表示するので、ユーザーが探しやすい情報に基づいて画像データを表示することにより、ユーザーが見たい画像を探すのを容易にすることができるとともに、ユーザーが見たい画像を探し出すまでに要する時間を短縮することができる。
【０００７】
本発明の画像表示装置は、前記構成において、前記画像レイアウト手段は、撮影日毎及び前記撮影モード毎に前記画像データを配列し、前記表示手段は、前記レイアウト手段にて前記撮影日毎及び前記撮影モード毎に配列された前記画像データを表示する構成を採る。
【０００８】
この構成によれば、前記効果に加えて、撮影モードと撮影日との両方を用いて画像データを配列して表示するので、ユーザーが見たい画像を探し出すまでに要する時間をさらに短縮することができる。
【０００９】
本発明の画像表示装置は、前記構成において、前記表示手段は、前記撮影日と前記撮影モードとにより特定される前記画像データ毎に平面上に並べて表示する構成を採る。
【００１０】
この構成によれば、前記効果に加えて、画像データを平面上に並べて表示するので、ユーザーが見たい画像を探し出すまでに要する時間をさらに短縮することができる。
【００１１】
本発明の画像表示装置は、前記構成において、前記表示手段にて現在表示されている前記画像データに関係付けられている前記撮影モードと異なる前記撮影モードに関係付けられている前記画像データに切り替えて表示するための切替手段を具備し、前記表示手段は、前記切替手段の切り替え操作により、現在表示している前記画像データに関係付けられている前記撮影モードと異なる前記撮影モードに関係付けられている前記画像データに切り替えて表示する構成を採る。
【００１２】
この構成によれば、前記効果に加えて、ユーザーが見たい画像を表示させた後において、異なる撮影モードの画像に表示を切り替えることができることにより、最初は大まかな範囲にて画像を探した後に絞り込んで目的の画像を探すことができるので、ユーザーは確実に見たい画像を探し出すことができる。
【００１３】
本発明のカメラ装置は、被写体を撮影する撮影手段と、前記撮影手段にて前記被写体を撮影する際の撮影モードを設定する撮影モード設定手段と、前記撮影手段にて撮影された前記被写体の画像データと前記撮影モード設定手段にて設定された前記撮影モードとを関係付けた画像情報の前記画像データを前記撮影モードに基づいて配列する画像レイアウト手段と、前記画像レイアウト手段にて配列された前記画像データの前記画像を表示する表示手段と、を具備する構成を採る。
【００１４】
この構成によれば、撮影時の撮影モードに基づいて画像データを配列して表示するので、ユーザーが探しやすい情報に基づいて画像データを表示することにより、ユーザーが見たい画像を探すのを容易にすることができるとともに、ユーザーが見たい画像を探し出すまでに要する時間を短縮することができる。
【００１５】
本発明のカメラ装置は、前記構成において、前記画像レイアウト手段は、撮影日毎及び前記撮影モード毎に前記画像データを配列し、前記表示手段は、前記レイアウト手段にて前記撮影日毎及び前記撮影モード毎に配列された前記画像データを表示する構成を採る。
【００１６】
この構成によれば、前記効果に加えて、撮影モードと撮影日との両方を用いて画像データを配列して表示するので、ユーザーが見たい画像を探し出すまでに要する時間をさらに短縮することができる。
【００１７】
本発明のカメラ装置は、前記構成において、前記表示手段は、前記撮影日と前記撮影モードとにより特定される前記画像データ毎に平面上に並べて表示する構成を採る。
【００１８】
この構成によれば、前記効果に加えて、画像データを平面上に並べて表示するので、ユーザーが見たい画像を探し出すまでに要する時間をさらに短縮することができる。
【００１９】
本発明のカメラ装置は、前記構成において、前記表示手段にて現在表示されている前記画像データに関係付けられている前記撮影モードと異なる前記撮影モードに関係付けられている前記画像データに切り替えて表示するための切替手段を具備し、前記表示手段は、前記切替手段の切り替え操作により、現在表示している前記画像データに関係付けられている前記撮影モードと異なる前記撮影モードに関係付けられている前記画像データに切り替えて表示する構成を採る。
【００２０】
この構成によれば、前記効果に加えて、ユーザーが見たい画像を表示させた後において、異なる撮影モードの画像に表示を切り替えることができることにより、最初は大まかな範囲にて画像を探した後に絞り込んで目的の画像を探すことができるので、ユーザーは確実に見たい画像を探し出すことができる。
【００２１】
本発明の通信装置は、前記のいずれかのカメラ装置を具備する構成を採る。
【００２２】
この構成によれば、撮影時の撮影モードに基づいて画像データを配列して表示するので、ユーザーが探しやすい情報に基づいて画像データを表示することにより、ユーザーが見たい画像を探すのを容易にすることができるとともに、ユーザーが見たい画像を探し出すまでに要する時間を短縮することができる。さらに、所望の画像データを容易に探し出すことができるので、画像を探している間の通信できない時間を短くすることができる。
【００２３】
本発明の画像表示方法は、画像データと前記画像データの撮影時の撮影モードとを関係付けた画像情報の前記画像データを前記撮影モードに基づいて配列するステップと、配列された前記画像データを表示するステップと、を具備するようにした。
【００２４】
この方法によれば、撮影時の撮影モードに基づいて画像データを配列して表示するので、ユーザーが探しやすい情報に基づいて画像データを表示することにより、ユーザーが見たい画像を探すのを容易にすることができるとともに、ユーザーが見たい画像を探し出すまでに要する時間を短縮することができる。
【００２５】
本発明の画像表示方法は、前記方法において、撮影日毎及び前記撮影モード毎に前記画像データを配列し、前記撮影日毎及び前記撮影モード毎に配列された前記画像データを表示するようにした。
【００２６】
この方法によれば、前記効果に加えて、撮影モードと撮影日との両方を用いて画像データを配列して表示するので、ユーザーが見たい画像を探し出すまでに要する時間をさらに短縮することができる。
【００２７】
本発明の画像表示方法は、前記方法において、前記撮影日と前記撮影モードとにより特定される前記画像データ毎に平面上に並べて表示するようにした。
【００２８】
この方法によれば、前記効果に加えて、画像データを平面上に並べて表示するので、ユーザーが見たい画像を探し出すまでに要する時間をさらに短縮することができる。
【００２９】
本発明の画像表示方法は、前記方法において、現在表示されている前記画像データに関係付けられている前記撮影モードと異なる前記撮影モードに関係付けられている前記画像データに切り替えて表示するステップを具備し、切り替え操作により、現在表示している前記画像データに関係付けられている前記撮影モードと異なる前記撮影モードに関係付けられている前記画像データに切り替えて表示するようにした。
【００３０】
この方法によれば、前記効果に加えて、ユーザーが見たい画像を表示させた後において、異なる撮影モードの画像に表示を切り替えることができることにより、最初は大まかな範囲にて画像を探した後に絞り込んで目的の画像を探すことができるので、ユーザーは確実に見たい画像を探し出すことができる。
【発明の効果】
【００３１】
本発明によれば、ユーザーが探しやすい情報に基づいて画像データを表示することにより、ユーザーが見たい画像を探すのを容易にすることができるとともに、ユーザーが見たい画像を探し出すまでに要する時間を短縮することができる。
【発明を実施するための最良の形態】
【００３２】
本発明の骨子は、画像データと、画像データの撮影時の撮影モード及び撮影日とを関係付けた画像情報を記憶し、画像データを表示する際には、撮影日毎及び前記撮影モード毎に画像データを配列し、撮影日と撮影モードとにより特定される画像データ毎に平面上に並べて表示することである。
【００３３】
以下、本発明の実施の形態について、図面を参照して詳細に説明する。
【００３４】
（実施の形態）
図１は、本発明の実施の形態に係るカメラ装置１００の構成を示すブロック図である。図１において、画像保存部１０５、撮影日抽出部１０６、撮影モード抽出部１０７、画像レイアウト部１０８及び表示部１０９は、画像表示装置１１０を構成する。
【００３５】
カメラ部１０１は、被写体を撮影し、撮影した被写体の画像データを画像処理部１０４へ出力する。
【００３６】
撮影日設定部１０２は、カメラ部１０１にて撮影する毎に撮影日を設定して、設定した撮影日の情報を画像処理部１０４へ出力する。
【００３７】
撮影モード設定部１０３は、被写体が人物である場合または被写体が風景である場合等の撮影シーンに応じて適切なモードを設定する。撮影モード設定部１０３は、ユーザーが被写体にカメラ部１０１を向けることにより自動的に設定される方法、またはユーザーがスイッチ等を操作することにより任意に設定する方法等により撮影モードの設定を行う。そして、撮影モード設定部１０３は、カメラ部１０１にて撮影する毎に設定した撮影モードの情報を画像処理部１０４へ出力する。
【００３８】
画像処理部１０４は、カメラ部１０１から入力した画像データを補正して保存可能な形式に変換し、撮影日設定部１０２から入力した撮影日の情報及び撮影モード設定部１０３から入力した撮影モードの情報を画像データに付与することにより画像データと撮影日及び撮影モードとを関係付けた画像データ（画像情報）を生成する。そして、画像処理部１０４は、撮影日の情報及び撮影モードの情報を付与して保存可能な形式に変換した画像データを画像保存部１０５へ出力する。
【００３９】
画像保存部１０５は、画像処理部１０４から入力した画像データを保存する。そして、画像保存部１０５は、所定のタイミングにて画像データを画像レイアウト部１０８へ出力し、画像データに付与されている撮影日の情報を撮影日抽出部１０６へ出力するとともに画像データに付与されている撮影モードの情報を撮影モード抽出部１０７へ出力する。
【００４０】
撮影日抽出部１０６は、画像保存部１０５から画像レイアウト部１０８へ出力された画像データについて、画像保存部１０５に記憶されている撮影日の情報を画像保存部１０５から抽出して画像レイアウト部１０８へ出力する。
【００４１】
撮影モード抽出部１０７は、画像保存部１０５から画像レイアウト部１０８へ出力された画像データについて、画像保存部１０５に記憶されている撮影モードの情報を画像保存部１０５から抽出して画像レイアウト部１０８へ出力する。
【００４２】
画像レイアウト部１０８は、撮影日抽出部１０６から入力した撮影日の情報、及び撮影モード抽出部１０７から入力した撮影モードの情報から画像レイアウトを決定する。そして、画像レイアイウト部１０８は、決定した画像レイアウトにて画像を表示するように画像データを表示部１０９へ出力する。なお、画像レイアウトの方法については後述する。
【００４３】
表示部１０９は、画像レイアウト部１０８にて決定された画像レイアウトに従って画像を表示する。
【００４４】
次に、カメラ装置１００の動作について説明する。カメラ部１０１が、例えば２００３年１２月１０日に人物及び風景を撮影し、２００３年１２月１１日に風景を撮影するとともに、２００３年１２月１２日に人物を撮影した場合において、撮影日設定部１０２は、２００３年１２月１０日、２００３年１２月１１日及び２００３年１２月１２日の撮影日の情報を設定する。また、撮影モード設定部１０３は、「人物」及び「風景」の撮影モードの情報を設定する。また、撮影モード設定部１０３は、実際の画像データは存在しないが、被写体に接近して撮影する「マクロ」の撮影モードの情報も設定する。
【００４５】
次に、画像処理部１０４は、２００３年１２月１０日に撮影した人物の画像データに対して、２００３年１２月１０日の撮影日の情報と、「人物」の撮影モードの情報とを付与する。また、画像処理部１０４は、２００３年１２月１０日に撮影した風景の画像データに対して、２００３年１２月１０日の撮影日の情報と、「風景」の撮影モードの情報とを付与する。また、画像処理部１０４は、２００３年１２月１１日に撮影した風景の画像データに対して、２００３年１２月１１日の撮影日の情報と、「風景」の撮影モードの情報とを付与する。また、画像処理部１０４は、２００３年１２月１２日に撮影した人物の画像データに対して、２００３年１２月１２日の撮影日の情報と、「人物」の撮影モードの情報とを付与する。そして、画像保存部１０５は、これらの画像データを記憶する。なお、画像保存部１０５は、上記の場合に限らず、任意の撮影日時の情報及び撮影モードの情報が付与された画像データを記憶することが可能である。
【００４６】
次に、撮影日抽出部１０６は、例えばユーザーの選択により、２００３年１２月１０日、２００３年１２月１１日及び２００３年１２月１２日の撮影日の情報を抽出する。また、撮影モード抽出部１０７は、「人物」、「風景」及び「マクロ」の撮影モードの情報を抽出する。
【００４７】
次に、画像レイアウト部１０８は、画像が図２のように表示されるように画像レイアウトを行う。次に、表示部１０９は、図２に示す画像レイアウトにて画像を表示する。図２より、２００３年１２月１０日から２００３年１２月１２日まで撮影した画像が表示され、「人物」、「マクロ」及び「風景」のモード別に分類される。各日付と各撮影モードとにより特定されるエリア（以下「ブロック」と記載する）には、１枚または０枚の画像が表示されている。１枚の画像が表示されているブロックには、１枚以上の画像が保存されており、１枚も画像が表示されていないブロックにはマッチする画像が存在しないことを示す。
【００４８】
具体的には、画像レイアウト部１０８は、縦軸に撮影モードを配列するとともに横軸に撮影日を配列する。そして、画像レイアウト部１０８は、２００３年１２月１０日の撮影日と「人物」の撮影モードとにより特定されるブロックに２００３年１２月１０日に撮影した人物の画像データ＃２０１を配置し、２００３年１２月１０日の撮影日と「風景」の撮影モードとにより特定されるブロックに２００３年１２月１０日に撮影した風景の画像データ＃２０２を配置し、２００３年１２月１１日の撮影日と「風景」の撮影モードとにより特定されるブロックに２００３年１２月１１日に撮影した風景の画像データ＃２０３を配置するとともに、２００３年１２月１２日の撮影日と「人物」の撮影モードとにより特定されるブロックに２００３年１２月１２日に撮影した人物の画像データ＃２０４を配置する。これにより、表示部１０９は、図２に示すような画像レイアウトにて画像を表示することができる。
【００４９】
図２において、縁が太くなっているブロックは、現在ユーザーがカーソルにより指定しているブロックを表す。ユーザーが選択するブロックは、例えば携帯電話端末等の通信装置に具備されているキーによって、上下左右にカーソルを移動させることにより変更することができる。ユーザーは、カーソルを移動させてブロックを選択した場合、図３に示すように、選択されたブロックにマッチする画像一覧を表示するための画面が表示される。ユーザーが画像データ＃２０１を選択した場合には、図３に示すように２００３年１２月１０日に撮影した人物の複数枚の画像が表示部１０９に表示される。この時、図３において、図２に表示される画像＃２０１が先頭に表示される。
【００５０】
また、表示部１０９は、切替スイッチの画像＃３０１（切替手段）を表示する。切替スイッチの画像＃３０１は、撮影日を切り替える切替部＃３０１ａ及び撮影モードを切り替える切替部＃３０１ｂから構成される。ここで、切替部＃３０１ａを操作すると、撮影モードを同一に保ったまま、即ち撮影モードが「人物」のまま撮影日のみを前後させることができる。また、切替部＃３０１ｂを操作すると、撮影日を同一に保ったまま、即ち撮影日を２００３年１２月１０日に保ったまま撮影モードのみを前後することができる。例えば、切替部＃３０１ｂの上のボタンを選択すると撮影モードが「マクロ」の画像一覧が表示され、下のボタンを選択すると撮影モードが「風景」である画像一覧が表示される。即ち、ユーザーが切替部＃３０１ａを操作した場合には、２００３年１２月１０日の撮影日及び「人物」の撮影モードの画像から、２００３年１２月１０日以外の撮影日及び「人物」の撮影モードの画像に切り替わる。同様に、ユーザーが切替部３０１ｂを操作した場合には、２００３年１２月１０日の撮影日及び「人物」の撮影モードの画像から、２００３年１２月１０日の撮影日及び「人物」以外の撮影モードの画像に切り替わる。
【００５１】
例えば、表示部１０９が図３のように表示している場合において、ユーザーが、切替部＃３０１ａを操作して撮影日を２００３年１２月１１日に切り替えるとともに、切替部＃３０１ｂを操作して撮影モードを「風景」に切り替えた場合には、図４に示すような画像が表示部１０９に表示される。即ち、図２の最初の画像レイアウト時の画像データ＃２０３が先頭に表示されるとともに、２００３年１２月１１日の撮影日に撮影した「風景」の撮影モードの画像データが複数表示部１０９に表示される。
【００５２】
図１のカメラ装置１００は、カメラ機能を有する携帯電話端末等の通信装置に適用することができる。
【００５３】
このように、本実施の形態によれば、画像データを撮影日及び撮影モードと関係付けて記憶するとともに、画像データを撮影日及び撮影モードと関係付けて表示することにより、ユーザーが探しやすい情報に基づいて画像データを表示することができるので、ユーザーが見たい画像を探すのを容易にすることができるとともに、ユーザーが見たい画像を探し出すまでに要する時間を短縮することができる。また、本実施の形態によれば、撮影日と撮影モードとにより特定される画像データ毎に平面上に並べて表示するので、瞬時に探している画像を見付けることができる。また、本実施の形態によれば、ユーザーが見たい画像を表示させた後において、異なる撮影日または異なる撮影モードの画像に表示を切り替えることができることにより、最初は大まかな範囲にて画像を探した後に絞り込んで目的の画像を探すことができるので、ユーザーは確実に見たい画像を探し出すことができる。また、本実施の形態によれば、カメラ装置を通信装置に適用した場合には、所望の画像データを容易に探し出すことができるので、画像を探している間の通信できない時間を短くすることができる。
【００５４】
なお、上記実施の形態において、カメラ機能を有する携帯電話端末等の通信装置に適用することとしたが、これに限らず、デジタルカメラ等の通信装置以外に適用しても良い。また、上記実施の形態において、カメラ機能と画像表示機能との両方の機能を持つ装置に適用することとしたが、これに限らず、カメラ機能と画像表示機能とを別々の装置に適用しても良い。また、上記実施の形態において、装置の内部にて画像データを保存することとしたが、これに限らず、メモリカード等の外部記憶装置に画像データを記憶させても良い。また、上記実施の形態において、撮影モードを「人物」、「風景」及び「マクロ」としたが、これに限らず、「室内」及び「室外」等の任意の撮影モードを用いることが可能である。また、上記実施の形態において、撮影日及び撮影モードにより特定される画像毎に各ブロックに表示したが、これに限らず、撮影モードのみにより特定される画像毎に各ブロックに表示するようにしても良い。また、本実施の形態において、切替部＃３０１は表示部１０９に画像データとともに表示することとしたが、これに限らず、画像表示装置１１０またはカメラ装置１００にスイッチ等を設けて切替部＃３０１にしても良い。
【産業上の利用可能性】
【００５５】
本発明にかかる画像表示装置、カメラ装置、通信装置及び画像表示方法は、ユーザーが探しやすい情報に基づいて画像データを表示することにより、ユーザーが見たい画像を探すのを容易にすることができるとともに、ユーザーが見たい画像を探し出すまでに要する時間を短縮する効果を有し、画像を表示するのに有用である。
【図面の簡単な説明】
【００５６】
【図１】本発明の実施の形態に係るカメラ装置の構成を示すブロック図
【図２】本発明の実施の形態に係る画像の表示方法を示す図
【図３】本発明の実施の形態に係る画像の表示方法を示す図
【図４】本発明の実施の形態に係る画像の表示方法を示す図
【符号の説明】
【００５７】
１００  カメラ装置
１０１  カメラ部
１０２  撮影日設定部
１０３  撮影モード設定部
１０４  画像処理部
１０５  画像保存部
１０６  撮影日抽出部
１０７  撮影モード抽出部
１０８  画像レイアウト部
１０９  表示部
１１０  画像表示装置
【図１】
2005341058.tif 000003
【図２】
2005341058.tif 000004
【図３】
2005341058.tif 000005
【図４】
2005341058.tif 000006